(57)【要約】【課題】撮影レンズのフォーカスを合焦状態に設定するためのフォーカス操作部材の操作方向の表示を反転できるようにしたことによりフォーカス操作部材の操作方向を好適に表示できるようにしたレンズシステムを提供する。【解決手段】レンズ装置１２のＣＰＵ３０は、ＭＦ制御の場合、フォーカスデマンド１４のフォーカスノブの回動操作に従ってフォーカスレンズＦＬを制御する。また、その際、焦点評価値検出部４０を用いて撮影画像のコントラストから合焦方向を検出し、合焦状態に設定するためのフォーカスノブの操作方向を操作方向表示器２０に表示させる。フォーカスデマンド１４の方向表示切替スイッチ８２によってリバースモードが選択された場合には、操作方向表示器２０における操作方向の表示を反転させる。【選択図】      図２
2007127704.tif 000002
【特許請求の範囲】
【請求項１】
撮影レンズのフォーカスをマニュアル操作するためのフォーカス操作部材と、前記フォーカスの現在位置に対して合焦状態に設定するための前記フォーカスの移動方向を合焦方向として検出する合焦方向検出手段と、前記合焦方向検出手段により検出された合焦方向に基づいて、該合焦方向に前記フォーカスを移動させるための前記フォーカス操作部材の操作方向を表示する操作方向表示手段と、を備えたレンズシステムにおいて、
前記操作方向表示手段により表示する操作方向を反転させる反転手段を備えたことを特徴とするレンズシステム。
【請求項２】
前記操作方向表示手段により表示する操作方向を前記反転手段により反転するか否かを選択する選択手段を備えたことを特徴とする請求項１のレンズシステム。
【請求項３】
前記操作方向表示手段は、所定の中央位置に対して上側と下側、又は、左側と右側に配置された表示部のいずれか一方側の表示部の点灯によって操作方向を表示することを特徴とする請求項１又は２のレンズシステム。
【請求項４】
前記合焦方向検出手段は、前記撮影レンズにより結像された像のコントラストが高くなる方向を検出することによって合焦方向を検出することを特徴とする請求項１、２、又は、３のレンズシステム。
【発明の詳細な説明】
【技術分野】
【０００１】
本発明はレンズシステムに係り、特にテレビレンズ等の撮影レンズにおけるフォーカスを合焦状態に設定するためのフォーカス操作部材の操作方向を表示する機能を備えたレンズシステムに関する。
【背景技術】
【０００２】
特許文献１には、オートフォーカスにおけるピント状態検出機能を利用して、マニュアルフォーカス（ＭＦ）の際にもピント状態を表示する機能を備えたレンズシステムが提案されている。これによれば、カメラマンがフォーカス操作部材を用いてＭＦ操作を行う際に、そのピント状態の表示を参考にしてフォーカス調整を行うことができる。即ち、ピント状態の表示が前ピンであれば無限遠方向に、後ピンであれば至近方向にフォーカス操作部材を操作すれば合焦方向にフォーカスを移動させることができる。
【特許文献１】特開２００２−３６５７１０号公報
【発明の開示】
【発明が解決しようとする課題】
【０００３】
しかしながら、特許文献１のようなピント状態を表示する機能を搭載する場合に、その表示態様はメーカーが決めるため、ＭＦでのフォーカス操作部材の操作に利用する場合にユーザによってはフォーカス操作部材の操作方向を誤りやすいというおそれがあった。
【０００４】
例えば、ピント状態の表示は、合焦状態でない場合に、現在のピント状態が合焦状態に対して至近方向と無限遠方向のいずれの方向にずれているかを示しており、その表示を参考にすることによって、合焦状態に設定するためのフォーカスの移動方向を認識することができ、その方向にフォーカスが移動するようにフォーカス操作部材を操作することができる。
【０００５】
しかしながら、実際の撮影時において操作者は、合焦状態に設定するためのフォーカス操作部材の操作方向を瞬時に判断して操作する必要がある。そのため、操作者は、現在のピント状態に関して上記のような明確な認識を行うのではなく、現在のピント状態が合焦状態からずれている方向としてピント状態の表示によって視覚的に示される空間的な方向（ピント状態表示の表示部における上下方向や左右方向等）と、それに対して合焦状態に設定するためのフォーカス操作部材の空間的な操作方向とを直接的に関連付けておくことによって、瞬時に適切な方向にフォーカス操作部材を操作するものと考えられる。この場合に、ピント状態の表示が示す空間的な方向と、それに対するフォーカス操作部材の適切な操作方向との関係がどのような関係であれば、操作しやすいかは操作者によって異なるため、メーカーが提供した一態様が全てのユーザにとって好適とはならない。
【０００６】
また、例えば、フォーカス操作部材が回動操作部材であるフォーカスノブの場合、その回転軸が操作者に対して横向きに設置されるため、フォーカスノブを右手操作用として設置したか左手操作用として設置したかによって、フォーカス操作部材の操作方向（空間的な操作方向）とそれに対するフォーカスの移動方向との関係が異なる。また、操作者の好み等に応じてフォーカス操作部材の操作方向とフォーカスの移動方向との関係をスイッチにより反転させることができる機能を持つものがあり、その選択によってもフォーカス操作部材の操作方向とそれに対するフォーカスの移動方向の関係が異なる。そのため、フォーカス操作部材の使用態様によってもピント状態の表示が示す方向と合焦状態に設定するためのフォーカス操作部材の操作方向との関係が異なり、ユーザによってその関係が好適か否かが異なる。
【０００７】
更に、ＭＦでの操作を補助するための情報として、上記のように現在のピント状態が合焦状態に対してずれている方向を表示する態様以外にも、合焦状態に設定するためのフォーカスの移動方向を直接的に表示する態様や、合焦状態に設定するためのフォーカス操作部材を操作方向（空間的な方向）を直接的に表示する態様等が考えられる。いずれの態様であってもフォーカスを合焦状態に設定するためのフォーカス操作部材の操作方向を直接的又は間接的に認識することが可能であるが、どの態様での表示が好適かはユーザによって異なる。
【０００８】
以上のようなことから、フォーカスを合焦状態に設定するためのフォーカス操作部材の操作方向を表示する場合に、どのような態様が最適かは使用するユーザでなくては決めることができない。
【０００９】
本発明はこのような事情に鑑みてなされたもので、フォーカスを合焦状態に設定するためのフォーカス操作部材の操作方向の表示を好適に行うことができるレンズシステムを提供することを目的とする。
【課題を解決するための手段】
【００１０】
前記目的を達成するために、請求項１に記載のレンズシステムは、撮影レンズのフォーカスをマニュアル操作するためのフォーカス操作部材と、前記フォーカスの現在位置に対して合焦状態に設定するための前記フォーカスの移動方向を合焦方向として検出する合焦方向検出手段と、前記合焦方向検出手段により検出された合焦方向に基づいて、該合焦方向に前記フォーカスを移動させるための前記フォーカス操作部材の操作方向を表示する操作方向表示手段と、を備えたレンズシステムにおいて、前記操作方向表示手段により表示する操作方向を反転させる反転手段を備えたことを特徴としている。
【００１１】
本発明によれば、操作方向表示手段により表示されるフォーカス操作部材の操作方向と、それに対するフォーカス操作部材の実際の操作方向との関係をユーザにとって好適となるように設定することができる。
【００１２】
請求項２に記載のレンズシステムは、請求項１に記載の発明において、前記操作方向表示手段により表示する操作方向を前記反転手段により反転するか否かを選択する選択手段を備えたことを特徴としている。本発明によれば、操作方向表示手段により表示されるフォーカス操作部材の操作方向を反転するか否かをユーザが任意に選択することができる。
【００１３】
請求項３に記載のレンズシステムは、請求項１又は２に記載の発明において、前記操作方向表示手段は、所定の中央位置に対して上側と下側、又は、左側と右側に配置された表示部のいずれか一方側の表示部の点灯によって操作方向を表示することを特徴としている。本発明は、操作方向を表示するための一態様を示し、表示部は、ランプや、ビューファインダ上の図形によるもの等の態様が考えられる。
【００１４】
請求項４に記載のレンズシステムは、請求項１、２、又は、３に記載の発明において、前記合焦方向検出手段は、前記撮影レンズにより結像された像のコントラストが高くなる方向を検出することによって合焦方向を検出することを特徴としている。本発明によれば、例えば、レンズシステムがオートフォーカス機能を備えている場合に、そのオートフォーカス機能で使用される合焦方向検出をフォーカス操作部材の操作方向の表示に兼用することができる。
【発明の効果】
【００１５】
本発明に係るレンズシステムによれば、フォーカスを合焦状態に設定するためのフォーカス操作部材の操作方向の表示を好適に行うことができるようになる。
【発明を実施するための最良の形態】
【００１６】
以下、添付図面に従って本発明に係るレンズシステムを実施するための最良の形態につい詳説する。
【００１７】
図１は、本発明が適用されたレンズシステムを用いたテレビカメラシステムの全体を示した構成図である。同図に示すテレビカメラシステムは、テレビ放送用の映像を撮影するための撮影システムであり、カメラ本体１０、レンズ装置１２、フォーカスデマンド１４、ズームデマンド１６、ビューファインダ１８、操作方向表示器２０等から構成されている。
【００１８】
カメラ本体１０には、レンズ装置１２の光学系（撮影レンズ）により結像された被写体の像を撮像する撮像素子（例えばＣＣＤ）や、撮像素子により得られた信号から所定形式の映像信号を生成する信号処理回路等が搭載されている。
【００１９】
レンズ装置１２は、被写体の像を結像する光学系（撮影レンズ）と、光学系のフォーカスやズームなどを制御する制御系とを備えており、光学系により結像された被写体の映像がカメラ本体１０により撮像されて映像信号として得られる。尚、レンズ装置１２の光学系及び制御系の詳細については後述する。
【００２０】
フォーカスデマンド１４は、主にレンズ装置１２の光学系のフォーカスを操作者（カメラマン）がマニュアルフォーカス（ＭＦ）で操作するためのコントローラであり、ケーブル等でレンズ装置１２の所定のコネクタに接続されている。フォーカスデマンド１４には、ＭＦの操作に使用するフォーカス操作部材（フォーカスノブ）等が設けられており、そのフォーカスノブの回転位置に対応したフォーカス位置への移動を指令するフォーカス指令信号がフォーカスデマンド１４からレンズ装置１２に送信されるようになっている。レンズ装置１２の制御系は、ＭＦ制御時において、そのフォーカス指令信号に従って光学系のフォーカス（フォーカスレンズ）を制御する。
【００２１】
ズームデマンド１６は、主にレンズ装置１２の光学系のズームをカメラマンがマニュアル操作するためのコントローラであり、ケーブル等でレンズ装置１２の所定のコネクタに接続されている。ズームデマンド１６には、ズーム操作部材が設けられており、そのズーム操作部材の操作位置に対応したズーム速度での移動を指令するズーム指令信号がズームデマンド１６からレンズ装置１２に送信されるようになっている。レンズ装置１２の制御系は、そのズーム指令信号に従って光学系のズーム（ズームレンズ）を制御する。
【００２２】
ビューファインダ１８には、カメラ本体１０で生成された映像信号が与えられ、その映像信号により現在撮影している映像等が表示される。カメラマンはその映像によって現在撮影中の映像を確認することができると共に、所望の構図となるようにフォーカスデマンド１４やズームデマンド１６等の操作を行うことができる。
【００２３】
操作方向表示器２０は、例えばビューファインダ１８のフード（後述）に設置されており、詳細は後述するが、ＭＦ時において、レンズ装置１２の光学系のフォーカスを合焦状態（合焦位置）に設定するために、カメラマンがフォーカスデマンド１４のフォーカスノブを操作すべき操作方向が表示されるようになっている。カメラマンは、この表示を参照することによって、合焦状態に設定するためのフォーカスノブの操作方向を瞬時に判断することができ、その操作方向にフォーカスノブを操作することによって適切に合焦方向にフォーカスを移動させることができる。
【００２４】
図２及び図３は、上記テレビカメラシステムにおけるレンズシステムの構成を示したブロック図、及び、上記レンズ装置１２の光学系（撮影レンズ）の構成図である。図２に示すようにレンズシステムはレンズ装置１２、フォーカスデマンド１４、ズームデマンド１６、及び、操作方向表示器２０から構成されている。撮影レンズは、例えば図３に示すようにフォーカスレンズ（群）ＦＬ、ズームレンズ（群）ＺＬ、絞りＩ、ワブリングレンズ（群）ＷＬ、マスターレンズ（群）ＭＬを備えており、それらが光軸に沿って対物側から順に図示しない鏡胴内に配置されている。フォーカスレンズＦＬ、ズームレンズＺＬ及びワブリングレンズＷＬは、光軸に沿って前後移動可能に支持されており、フォーカスレンズＦＬ又はワブリングレンズＷＬが移動することによって撮影レンズのピント位置（ピントが合う位置）が変化し、ズームレンズＺＬが移動することによって撮影レンズの像倍率が変化するようになっている。尚、ズームレンズＺＬは、像倍率を変更するためのバリエーターレンズ（群）ＶＬと、バリエーターレンズ（群）ＶＬの移動によるピントずれを補正するコンペンセータレンズ群（ＣＬ）とからなり、これらのレンズＶＬ、ＣＬは、所定の位置関係で連動して移動するようになっている。
【００２５】
図２のレンズシステムの構成図には、撮影レンズのフォーカスレンズＦＬ、ズームレンズＺＬ、ワグリングレンズＷＬ、絞りＩを制御するための制御系の構成が示されている。同図に示すように、フォーカスレンズＦＬ、ズームレンズＺＬ、ワブリングレンズＷＬ、絞りＩには、それぞれモータＦＭ、ＺＭ、ＷＭ、ＩＭが連結されており、フォーカスレンズＦＬ、ズームレンズＺＬ、ワブリングレンズＷＬ、絞りＩは各モータＦＭ、ＺＭ、ＷＭ、ＩＭによって電動で駆動されるようになっている。これによって、フォーカスレンズＦＬ、ズームレンズＺＬ、ワブリングレンズＷＬは、光軸方向に前後移動するように駆動され、絞りＩは開閉動作するように駆動される。
【００２６】
一方、レンズ装置１２には、レンズシステム全体を統括的に制御するＣＰＵ３０が搭載されており、このＣＰＵ３０にＤ／Ａ変換器３２を介して各モータＦＭ、ＺＭ、ＷＭ、ＩＭに駆動電圧を供給するアンプＦＡ、ＺＡ、ＷＡ、ＩＡが接続されている。ＣＰＵ３０からＤ／Ａ変換器３２を介して各アンプＦＡ、ＺＡ、ＷＡ、ＩＡに所定電圧範囲の駆動信号が与えられると、その駆動信号の電圧に応じた速度（方向及び速さ）で各モータＦＭ、ＺＭ、ＷＭ、ＩＭが駆動される。これによって、フォーカスレンズＦＬ、ズームレンズＺＬ、ワブリングレンズＷＬ、絞りＩの動作速度がＣＰＵ３０によって制御できるようになっている。
【００２７】
また、フォーカスレンズＦＬ、ズームレンズＺＬ、絞りＩの各々の位置がポテンショメータＦＰ、ＺＰ、ＩＰによって検出され、その位置を示す位置信号がＡ／Ｄ変換器３４を介してＣＰＵ３０に与えられるようになっている。それらの位置信号を参照することによってフォーカスレンズＦＬ、ズームレンズＺＬ、絞りＩの位置をＣＰＵ３０が制御（フィードバック制御）できるようになっている。尚、ワブリングレンズＷＬについては厳密な位置制御を行う必要がないため位置検出を行わない構成となっている。
【００２８】
図１に示したようにレンズ装置１２にはフォーカスデマンド１４とズームデマンド１６が接続されており、図２に示すようにフォーカスデマンド１４と、レンズ装置１２のＣＰＵ３０とは、各々に内蔵されたシリアルコミュニケーションインターフェース（ＳＣＩ）３６、１４Ａを介してシリアル通信可能に接続されている。ズームデマンド１６とレンズ装置１２のＣＰＵ３０とは、Ａ／Ｄ変換器３４を介して接続されている。
【００２９】
フォーカスデマンド１４からは、フォーカスノブの操作位置に対応したフォーカス位置への移動を指令するフォーカス指令信号が出力され、ズームデマンド１６からは、ズーム操作部材の操作位置に対応したズーム速度での移動を指令するズーム指令信号が出力されるようになっており、それらのフォーカス指令信号やズーム指令信号がＣＰＵ３０で読み取られるようになっている。
【００３０】
ＣＰＵ３０は、ＭＦ制御において、フォーカスデマンド１４から与えられたフォーカス指令信号が指令するフォーカス位置（フォーカス目標位置）となるように、上記のようにアンプＦＡに出力する駆動信号の値を調整してフォーカスレンズＦＬの位置を制御する。これにより、フォーカスノブの操作位置に対応したフォーカス位置となるように撮影レンズのフォーカスが制御される。尚、フォーカス制御にはＭＦ制御とＡＦ（オートフォーカス）制御とがあり、ＡＦ制御についての詳細は後述する。
【００３１】
また、ＣＰＵ３０は、ズーム制御において、ズームデマンド１６から与えられたズーム指令信号が指令するズーム速度（目標速度）となるように、アンプＺＡに出力する駆動信号の値を調整してズームレンズＺＬの移動速度を制御する。これにより、ズームデマンド１６のズーム操作部材の操作位置に対応したズーム速度での動作となるように撮影レンズのズームが制御される。
【００３２】
尚、絞り制御に関しては、図２では省略しているが例えば図１のカメラ本体１０から絞りＩの開口量（Ｆナンバー）を指令するアイリス指令信号がＣＰＵ３０に与えられるようになっており、ＣＰＵ３０はそのアイリス指令信号に従って絞りＩの位置（開口量）を制御する。
【００３３】
続いてＡＦ制御について詳説する。フォーカス制御には、ＭＦ制御とＡＦ制御とがあり、ＣＰＵ３０に対して上記のＭＦ制御の処理を実行させるＭＦモードと、ＡＦ制御の処理を実行させるＡＦモードのうちいずれのモードを選択するかを、例えばフォーカスデマンド１４に設けられた所定のモード切替スイッチによってカメラマンが切り替えられるようになっている。ＣＰＵ３０は、そのモード切替スイッチにより選択されたモードに応じた処理を実行する。
【００３４】
ＡＦモードが選択された場合、ＣＰＵ３０は、焦点評価値検出部４０から得られる焦点評価値が最大（極大）となるようにフォーカスレンズＦＬの位置を制御することによって、自動で撮影レンズのフォーカスを合焦状態に設定する。
【００３５】
焦点評価値検出部４０は、撮影レンズにより結像されてカメラ本体１０の撮像素子により得られた画像（映像）のコントラストの高さを焦点評価値として検出する。同図に示すように焦点評価値検出部４０は、Ａ／Ｄ変換器４２、ハイパスフィルタ（ＨＰＦ）４４、ゲート回路４６、加算回路４８等から構成されている。同図では図示していないカメラ本体１０からは、現在撮影されている映像の映像信号（輝度信号）がレンズ装置１２に入力されるようになっており、その映像信号が焦点評価値検出部４０のＡ／Ｄ変換器４２に入力されるようになっている。
【００３６】
Ａ／Ｄ変換器４２に入力された映像信号は、Ａ／Ｄ変換器４２によってデジタル信号に変換されると、続いてＨＰＦ４４によって高域周波数成分のみの信号が抽出される。そして、ＨＰＦ４４から出力された高域周波数成分の映像信号はゲート回路４６に入力され、撮影範囲（画面）内に設定された所定のＡＦエリア（例えば、画面中央部の矩形状のエリア）内のみの信号が抽出される。尚、Ａ／Ｄ変換器４２に入力される映像信号がゲート回路４６にも入力され、その映像信号に含まれる同期信号（垂直同期信号及び水平同期信号）に基づいてＨＰＦ４４から入力された映像信号の各フィールド画像からＡＦエリアの映像信号が抽出される。
【００３７】
ゲート回路４６から出力されたＡＦエリア内の映像信号は、続いて加算回路４８に入力される。この加算回路４８により、入力された映像信号が１画面分（１フィールド画像分）ずつ積算される。この積算値はＡＦエリア内の被写体画像のコントラストの高さを示しており、焦点評価値としてＣＰＵ３０に読み取られるようになっている。
【００３８】
ＣＰＵ３０は、焦点評価値検出部４０から得られる焦点評価値を参照しながらいわゆる山登り方式によってフォーカスレンズＦＬをその焦点評価値が最大（極大）となる位置に移動させる。即ち、ＣＰＵ３０は、所定のタイミングでワブリングレンズＷＬを微小量分前後動（ワブリング動作）させてピント位置（ピントが合う位置）を変動させ、例えば、ワブリングレンズＷＬが所定の基準位置にあるときと、その基準位置に対して前後に変位したときの変位位置とでの焦点評価値を焦点評価値検出部４０から取得する。そして、各位置における焦点評価値の大きさを比較することによって、ピント状態が合焦、前ピン、又は、後ピンかを検出する。即ち、焦点評価値が最大（極大）の状態となる合焦状態か、又は、合焦状態でない場合の合焦方向、即ち、焦点評価値が増加する方向を検出する。
【００３９】
もし、合焦状態でない場合に合焦方向を検出すると、その合焦方向（前ピンであれば無限遠方向、後ピンであれば至近方向）にフォーカスレンズＦＬを移動させることによって焦点評価値が増加する方向にフォーカスレンズＦＬを移動させる。そして、合焦状態となったことを検出すると、その位置でフォーカスレンズＦＬを停止させる。
【００４０】
このＣＰＵ３０の処理により、撮影レンズのフォーカスが自動で合焦状態に設定される。尚、ＡＦ制御の処理はこれに限らずどのような処理であってもよい。また、撮影画像のコントラストの高さを示す焦点評価値を検出する処理及び現在のピント状態を検出する処理（合焦及び合焦方向を検出する処理）は本実施の形態以外の方法であってもよい。特に焦点評価値の検出に使用する映像信号は、カメラ本体１０から得るのではなく、レンズ装置１２にＡＦ用撮像素子を搭載して、そのＡＦ用撮像素子から取得することも可能である。この場合、例えば撮影レンズにハーフミラー等の光分割手段を配置し、カメラ本体１０の撮像素子に入射する被写体光から光分割手段により分岐した被写体光によって被写体の映像をＡＦ用撮像素子で撮像することができる。また、光路長差を有する複数の撮像面を有するＡＦ用撮像素子によって光分割手段により分岐した被写体光を撮像し、各撮像面によって撮像された映像の映像信号から各々の焦点評価値を検出し、比較することによって、ワブリングレンズＷＬによるワブリング動作を行うことなくピント状態を検出することも可能である。
【００４１】
次に、操作方向表示器２０による操作方向の表示について詳説する。操作方向表示器２０は、ＭＦ制御（ＭＦモード）時において、カメラマンが、図４に示すようなフォーカスデマンド１４のフォーカスノブ５２を操作して撮影レンズのフォーカスを合焦状態に設定しようとする際に、フォーカスノブ５２を至近方向と無限遠方向のいずれの操作方向に操作すれば合焦方向にフォーカスが移動するかを表示するようにしたものである。図４に示すフォーカスデマンド１４は、必要な回路を内蔵したデマンド本体５０とデマンド本体５０に対して同図の水平方向を回転軸の方向として回動可能に支持されたフォーカスノブ５２とを備えている。また、デマンド本体５０に固定具（固定具の一部分）５４が固設されており、例えば、カメラマンが実際にフォーカスノブ５２を操作する際にカメラマンから見て同図に示す状態が正面側となるように固定具５４によって所定箇所にフォーカスデマンド１４が設置される。尚、フォーカスデマンド１４は、例えば、カメラ本体１０やレンズ装置１２を支持する架台（ペデスタルドリー等）から延設されたパン／チルト操作のための操作棒等に設置される。同図に示す状態が正面側となるようにフォーカスデマンド１４が設置されている場合は、カメラマンが右手でフォーカスノブ５２を把持して操作するようにした場合であり、フォーカスデマンド１４の標準的な設置態様である。
【００４２】
一方、図５に示すように、操作方向表示器２０は、例えばビューファインダ１８の表示画面周部に設置されているフード６０に取り付けられる。図１及び図２のように操作方向表示器２０はレンズ装置１２にケーブル等で接続されると共に、レンズ装置１２のＣＰＵ３０とＳＣＩ２０Ａ、３６を通じてシリアル通信可能に接続されている。
【００４３】
図６に示すように操作方向表示器２０の表示部７０には、ＬＥＤ等のランプによって発光する３つの発光部７２、７４Ａ、７４Ｂが設けられている。中央には、円形に発光する発光部７２（以下、中央発光部７２という）が設けられ、その上下に三角形に発光する発光部７４Ａと発光部７４Ｂが設けられている。また、発光部７４Ａと発光部７４Ｂの三角形の１つの頂点は中央に向けて配置されており、下側の発光部７４Ａ（以下、下側発光部７４Ａという）は上方向の矢印と同等のものと解することができ、上側の発光部７４Ｂ（以下、上側発光部７４Ｂという）は下方向の矢印と同等のものと解することができるようなっている。
【００４４】
レンズ装置１２のＣＰＵ３０は、ＭＦモード時において上記ＭＦ制御の処理を実行している際にも、ＡＦ制御時と同様に適宜ワブリングレンズＷＬをワブリング動作させて焦点評価値検出部４０から焦点評価値を取得し、ピント状態を検出する。そして、そのピント状態に基づいて合焦状態に設定するためのフォーカスノブ５２の操作方向を表示させるための表示制御信号を操作方向表示器２０に送信する。
【００４５】
ピント状態が合焦状態のときには、図６における中央発光部７２を点灯させる表示制御信号がＣＰＵ３０から操作方向表示器２０に送信され、中央発光部７２が点灯し、その他の下側発光部７４Ａ及び上側発光部７４Ｂが消灯する。
【００４６】
ピント状態が前ピンのとき、即ち、ピントが至近側にずれているときには、下側発光部７４Ａを点灯させる表示制御信号がＣＰＵ３０から操作方向表示器２０に送信され、下側発光部７４Ａが点灯し、その他の中央発光部７２、上側発光部７４Ｂが消灯する。図４に示したフォーカスデマンド１４においてフォーカスノブ５２の正面側（手前側）が上方向に動くように（右回りに）回転操作するとフォーカスが無限遠方向に移動するようになっており、上方向を示唆するように配置された三角形の下側発光部７４Ａが点灯することによって、上方向にフォーカスノブ５２を操作させれば合焦方向にフォーカスが移動することがカメラマンによって認識されるようになっている。尚、中央発光部７２に対して下側の下側発光部７４Ａが点灯することによってフォーカスが至近側にずれていることを示唆し、合焦状態に設定するためのフォーカスノブ５２の操作方向が上方向であることを示唆していると解釈することもできる。
【００４７】
一方、ピント状態が後ピンのとき、即ち、ピントが無限遠側にずれているときには、上側発光部７４Ｂを点灯させる表示制御信号がＣＰＵ３０から操作方向表示器２０に送信され、上側発光部７４Ｂが点灯し、その他の中央発光部７２、下側発光部７４Ａが消灯する。図４に示したフォーカスデマンド１４においてフォーカスノブ５２の正面側（手前側）が下方向に動くように（右回りに）回転操作するとフォーカスが至近方向に移動するようになっており、下方向を示唆するように配置された三角形の上側発光部７４Ｂが点灯することによって、下方向にフォーカスノブ５２を操作させれば合焦方向にフォーカスが移動することがカメラマンによって認識されるようになっている。尚、中央発光部７２に対して上側の上側発光部７４Ｂが点灯することによってフォーカスが無限遠側にずれていることを示唆し、合焦状態に設定するためのフォーカスノブ５２の操作方向が下方向であることを示唆していると解釈することもできる。
【００４８】
カメラマンは、このように操作方向表示器２０に表示された操作方向に従ってフォーカスノブ５２を操作すれば合焦方向にフォーカスを迅速且つ確実に移動させることができ、合焦状態に設定することの操作負担が軽減される。
【００４９】
ところで、図４に示すようにフォーカスデマンド１４のデマンド本体５０には、フォーカスノブ５２の回転方向と、それに対するフォーカスの移動方向との関係を反転させるための操作方向切替スイッチ８０と、操作方向表示器２０における至近方向と無限遠方向との操作方向の表示を反転させる方向表示切替スイッチ８２が設けられている。操作方向切替スイッチ８０と方向表示切替スイッチ８２はそれぞれノーマルモードとリバースモードとを選択する２状態で切り替えられるようになっており、それらのスイッチ８０、８２の状態が図２に示したレンズ装置１２のＣＰＵ３０に送信され、ＣＰＵ３０により読み取られるようになっている。尚、上述の説明ではいずれのスイッチ８０、８２もノーマルモードが選択されている場合を前提としている。また、操作方向切替スイッチ８０や方向表示切替スイッチ８２は例えばレンズ装置１２や操作方向表示器２０等のフォーカスデマンド１４以外の部分に設けてもよい。
【００５０】
まず、操作方向切替スイッチ８０のモードについて説明すると、操作方向切替スイッチ８０がノーマルモードに設定されている場合、レンズ装置１２のＣＰＵ３０は、図４においてフォーカスノブ５２の正面側が上方向に動くように（右回りに）回転操作されると、フォーカスが無限遠方向に移動するように処理する。フォーカスノブ５２が逆方向に回転操作されると、フォーカスが至近方向に移動するように処理する。
【００５１】
これに対して、操作方向切替スイッチ８０がリバースモードに設定された場合、レンズ装置１２のＣＰＵ３０は、ノーマルモードとは反対に、フォーカスノブ５２の正面側が上方向に動くように（右回りに）回転操作されると、フォーカスを至近方向に移動させ、逆方向に回転操作されると、フォーカスを無限遠方向に移動させる。例えば、ノーマルモードにおいてフォーカスデマンド１４から出力されるフォーカス指令信号の値が最小値から増加するに従ってフォーカスが至近端の位置から無限遠側に移動し、フォーカス指令信号の値が最大値のときにフォーカスが無限遠端の位置となるように制御するものとすると、リバースモードではこの関係を逆にし、フォーカスデマンド１４から出力されるフォーカス指令信号の値が最小値から増加するに従ってフォーカスが無限遠端の位置から至近側に移動し、フォーカス指令信号の値が最大値のときにフォーカスが至近端の位置となるように制御する。
【００５２】
これによってカメラマンはフォーカスノブ５２の回転方向と、それに対するフォーカスの移動方向との関係を使い易いように切り替えることができるようになっている。また、フォーカスデマンド１４を左手で操作するために図４とは逆にフォーカスノブ５２がデマンド本体５０の左側となるように配置された場合に、リバースモードに設定すれば、右手操作の場合と同様にカメラマンから見てフォーカスノブ５２の正面側が上方向に動くように（左回り）回転操作したときに、フォーカスを無限遠方向に移動させるようにすることができる。
【００５３】
続いて、方向表示切替スイッチ８２のモードについて説明すると、方向表示切替スイッチ８２がノーマルモードに設定されている場合、レンズ装置１２のＣＰＵ３０は、ピント状態が前ピンのときには操作方向表示器２０に対して下側発光部７４Ａを点灯させる表示制御信号を送信し、後ピンのときには上側発光部７４Ｂを点灯させる表示制御信号を送信する。尚、合焦状態のときにはモードに限らず中央発光部７２を点灯させる表示制御信号を送信する。
【００５４】
これに対して、方向表示切替スイッチ８２がリバースモードに設定された場合、レンズ装置１２のＣＰＵ３０は、ノーマルモードとは反対に、ピント状態が前ピンのときには操作方向表示器２０に対して上側発光部７４Ｂを点灯させる表示制御信号を送信し、後ピンのときには下側発光部７４Ａを点灯させる表示制御信号を送信する。これによって、カメラマンは、操作方向表示器２０によって表示される方向と、それに対して合焦状態に設定するためのフォーカスノブ５２の回転方向との関係を自分の使い易いように切り替えることができるようになっている。例えば、操作方向切替スイッチ８０をノーマルモードに設定し、方向表示切替スイッチ８２をリバースモードに設定した場合、ピント状態が前ピンのときでは上側発光部７４Ｂが点灯する。ピント状態が前ピンの場合、合焦状態に設定するためにフォーカスノブ５２を上方向（右回り）に回転させる必要があるが、カメラマンは、中央発光部７２よりも上側の上側発光部７４Ｂが点灯したことで、その上方向にフォーカスノブ５２を回転させれば合焦状態に近づくと判断することができる。このように操作方向表示器２０において操作方向の表示を反転させることができるため、カメラマンが操作方向表示器２０によって表示される操作方向をどのように解釈する場合であっても（例えば、上側発光部７４Ｂが点灯しているときに、それによって提示されている操作方向が、フォーカスノブ５２の上方向の操作を示すと解釈する場合であっても下方向の操作と解釈する場合のいずれであっても）その解釈に適合するように操作方向の表示を適切に行うことができる。
【００５５】
尚、操作方向切替スイッチ８０がノーマルモードのとき、方向表示切替スイッチ８２がノーマルモードであることが一般的に使いやすいとした場合、操作方向切替スイッチ８０がリバースモードに設定された際には、方向表示切替スイッチ８２がリバースモードに設定されなくても自動でリバースモードに切り替えるようにし、その際、方向表示切替スイッチ８２がリバースモードに切り替えられた場合には方向表示切替スイッチ８２がノーマルモードに切り替えられたものとしてもよい。
【００５６】
以上、上記実施の形態では、操作方向表示器２０により表示される操作方向の表示を制御的に反転させる機能を設けるようにしたが、その操作方向の表示の反転を機械的に行えるようにしてもよい。即ち、図５のようにフード６０に設置された操作方向表示器２０の上下を反転できるようにしてもよい。
【００５７】
例えば、図７は、フード６０に操作方向表示器２０を設置するための固定具９０を示した側面断面図である。同図に示すように、操作方向表示器２０のネジ穴７８Ａが形成されている。一方、板状部材９０にはネジ９２を挿通する孔９０Ａが形成されており、操作方向表示器２０のネジ穴７８Ａに板状部材９０の下面側から挿通されたネジ９２が係合することによって、操作方向表示器２０が板状部材９０の上面側に載置された状態で固定されている。
【００５８】
また、板状部材９０の先端部にはネジ孔９０Ｂが形成され、そのネジ孔９０Ｂに板状部材９６の孔を挿通したネジ９４が係合される。そして、板状部材９０と板状部材９６との間に図５に示したビューファインダ１８のフード６０を挟み込むようにしてネジ９４を締め込むことによって板状部材９０及び板状部材９６がフード６０に固定される。これにより、板状部材９０の上面に固定された操作方向表示器２０がフード６０に設置される。
【００５９】
このように設置される操作方向表示器２０において、操作方向表示器２０の上面側にもネジ穴７８Ｂを形成しておく。これにより、操作方向表示器２０の上下を反対にして板状部材９０の上面においてネジ９２をネジ穴７８Ｂに係合させることによって、操作方向表示器２０を上下反対にしてフード６０に設置することができる。
【００６０】
以上、上記実施の形態の操作方向表示器２０の表示部７０での操作方向の表示態様は一例であって、他の態様によって操作方向を表示するようにしてもよい。例えば、「＋」と「−」、「Ｆ」と「Ｎ」等の文字やキャラクタ、又は、矢印等の図形によって至近方向と無限遠方向の２つ操作方向を表示するようにしてもよい。また、上記実施の形態において合焦状態であることを表示する中央発光部７２は必ずしも設ける必要はない。更に、上記実施の形態では、フォーカス操作部材の操作方向を、空間的な方向として上方向と下方向とで表示するようにしたが、左方向と右方向とで表示するようにしてもよい。
【００６１】
また、上記実施の形態では操作方向表示器２０をビューファインダ１８のフード６０に設置することによって合焦状態に設定するためのフォーカスノブ５２の操作方向を表示するようにしたが、操作方向表示器２０は、フード６０以外の箇所に設置してもよいし、フォーカスデマンド１４等の装置に組み込むようにしてもよい。更に、ビューファインダ１８の画面上に表示させるようにしてもよい。
【図面の簡単な説明】
【００６２】
【図１】図１は、本発明が適用されたレンズシステムを用いたテレビカメラシステムの全体を示した構成図である。
【図２】図２は、本発明に係るレンズシステムの構成を示したブロック図である。
【図３】図３は、レンズ装置の光学系の構成を示した構成図である。
【図４】図４は、フォーカスデマンドの外観を示した正面図である。
【図５】図５は、ビューファインダに設置された操作方向表示器を示した斜視図である。
【図６】図６は、操作方向表示器の表示部の構成を示した正面図である。
【図７】図７は、操作方向表示器を上下反対に設置できるようにした態様を示した側面断面図である。
【符号の説明】
【００６３】
１０…カメラ本体、１２…レンズ装置、１４…フォーカスデマンド、１８…ビューファインダ、２０…操作方向表示装置、３０…ＣＰＵ、４０…焦点評価値検出部、５０…デマンド本体、５２…フォーカスノブ、６０…フード、７０…表示部、７２…中央発光部、７４Ａ…下側発光部、７４Ｂ…上側発光部、８０…操作方向切替スイッチ、８２…方向表示切替スイッチ、ＦＬ…フォーカスレンズ、ＦＭ…モータ
【図１】
2007127704.tif 000003
【図２】
2007127704.tif 000004
【図３】
2007127704.tif 000005
【図４】
2007127704.tif 000006
【図５】
2007127704.tif 000007
【図６】
2007127704.tif 000008
【図７】
2007127704.tif 000009